(57)【要約】      （修正有）【課題】バランスボールに被せる袋カバーであって、バランスボールの冷たさを解消し、安心して使用でき、しかも体のリラックスと神経にもプラスになり、さらに、カバー表面の摩擦により、安全に運動できる袋カバーを提供する。【解決手段】毛糸または布で構成した袋カバー１であって、バランスボール２を膨らます前に袋カバーの入り口から被せてバランスボール全体を覆い、バランスボールを膨らませ、袋カバーの入り口を閉じることにより、穴を開けないデザインでバランスボール全体を覆うようにすることを特徴とする。【選択図】図１
0003200405.tif 000002
【実用新案登録請求の範囲】
【請求項１】
穴を開けないデザインで、毛糸、布等で構成し、バランスボールを膨らます前にボール全体を覆い、バランスボールを膨らませることにより、バランスボール全体を覆うようにした、バランスボール全体に被せる袋カバー。
【考案の詳細な説明】
【技術分野】
【０００１】
本考案は、既存のバランスボール全体を包む袋カバーに関するもの。
【背景技術】
【０００２】
既存のバランスボールは球体で出来ていて、体に優しく、使いやすく、ゴムのクッションの体感は、心を癒す体育道具である。
スポーツをしながら利用する人、体を動かすことが好きな人など利用者は多数。
しかし、バランスボールはゴムで出来ているので触感が冷たいこと、初心者や高齢者がバランスボールで運動しようとしても長時間楽しむことは出来ないこと、バランスボール自体を使い運動するには滑りやすいこと等の欠点がある。
そのため使用年齢の範囲も限られる。
【０００３】
バランスボールは一般家庭で個人での楽しみ、また施設や会社内においても使用されている。しかし、バランスボールはゴムで出来ている良さと欠点が同居しているため、時にはバランスを崩さないよう神経をつかい危険を感じることもある。
こうした点を考え、バランスボールを使用する際の安全性を高める手段が創案されている。
【先行技術文献】
【特許文献】
【０００４】
【特許文献１】特許第4999164号
【０００５】
特許文献１に記載の発明は、バランスボールの補助枠であって、使用者とバランスボールが一体になり、バランスボール自体を自由に動かしながら広範囲で利用出来ない。
【考案の概要】
【考案が解決しようとする課題】
【０００６】
この従来の特許文献１に記載の手段は、バランスボール補助枠にすぎずバランスボールと一緒に全身運動等々には少し不自由である。及び使用時のボールの冷たさと滑りやすさ。
【０００７】
そこで、本考案の目的とするところは、バランスボールの球形に密着した化学繊維、布、毛糸等で袋カバーを作成するものである。
【０００８】
袋カバーは伸縮性を要し、バランスボール自体を覆うものである。 
【課題を解決するための手段】
【０００９】
バランスボールの球形に合わせた袋カバーを被せることにより、バランスボールの弾力性が温かさを保ち滑りにくくする。高齢者や子供が、手先一本でバランスボールをつついた瞬間にも脳まで刺激する可能性があるゴムの弾力性の良さが、体の神経を活発化させる。
また滑りにくくなる事は、安心して使用できることにつながる。
【００１０】
袋カバーをすることによる冷たさの解消。
冷たくなく持つ物がいつも体温と同じ温度であると安心します。
背もたれとしてバランスボールを利用していても温かく、冷たさを感じさせないので、長時間利用でき、気が付けば背筋を伸ばせている。
全身でバランスボールに身を任せていても温かく、体の力を抜く事ができる。
それは体のリラックスと神経にプラスになる。
好きな間リラックスすることが可能である。
【００１１】
伸縮性の布等の摩擦によりボールの滑りを緩やかにする。バランスボールの球体のゴムの滑りが緩やかになると、子供も全身でつかみ安全に運動できる。高齢者にとってもバランスボールの跳ね返りに安心である。
バランスボールで遊び、運動することは、手で触り、足で蹴ることも健康につながる。
手先や足先に物を当てて触ることは、人間の大切な機能である。
【００１２】
伸縮性のある化学繊維、布、毛糸等で作成した袋カバーとバランスボールとが密着し合うデザインを作ることにより、バランスボールの使い方が多様化する。
【考案の効果】
【００１３】
バランスボールはスポーツの道具として使用し効果があるが、袋カバーを被せることにより使い方の幅が広がる。
高齢者がバランスボールに手先を触れて捕まえようとする動きの反動、それだけでも脳の刺激になり、手、足、腰が少しずつ動き、健康のための全身運動効果がある。
又、座る際に安定感が増し、椅子のように使え、リラックスもできる。 
【図面の簡単な説明】
【００１４】
【図１】着装状態のバランスボール概観図
【図２】着装後の袋状閉じ口側
【図３】バランスボール着装前の袋カバー
【考案を実施するための形態】
【００１５】
バランスボール新規購入時の空気を入れる前の状態で、バランスボールの底側にバランスボールと同体の袋カバーを設置し空気を入れる。バランスボールが膨らむと同時に袋カバーも広がり包み込む。空気を入れ終わり栓を閉じる。
バランスボールと袋カバーは収縮し合い密着する。
安全上、袋カバーには穴を開けず、毛糸、布等で構成する。
【実施例１】
【００１６】
図３の袋カバー１の入り口３を広げ、空気を入れる前のバランスボールの底側から被せて包み込む。
袋カバーは穴が開いていると危険であるため、全体を覆うようにする。
【産業上の利用可能性】
【００１７】
高齢者、足腰の弱い方の使用を考慮したので、利用者の範囲が広がる。
高齢者の健康維持やリハビリ、運動機能の向上のため、個人の家庭や老人医療施設での利用が可能。
【符号の説明】
【００１８】
１．袋カバー
２．バランスボール
３．袋カバー閉じ口 
【図１】
0003200405.tif 000003
【図２】
0003200405.tif 000004
【図３】
0003200405.tif 000005
【手続補正書】
【提出日】平成27年7月30日(2015.7.30)
【手続補正１】
【補正対象書類名】実用新案登録請求の範囲
【補正対象項目名】全文
【補正方法】変更
【補正の内容】
【実用新案登録請求の範囲】
【請求項１】
毛糸または布で構成した袋カバーであって、バランスボールを膨らます前に袋カバーの入り口から被せてバランスボール全体を覆い、バランスボールを膨らませ、袋カバーの入り口を閉じることにより、穴を開けないデザインでバランスボール全体を覆うようにすることを特徴とするバランスボール全体に被せるカバー。
【手続補正２】
【補正対象書類名】明細書
【補正対象項目名】０００７
【補正方法】変更
【補正の内容】
【０００７】そこで、本考案の目的とするところは、バランスボールの球形に密着した化学繊維、布、毛糸で袋カバーを作成するものである。袋カバーは伸縮性を要し、バランスボール全体を覆うものである。
【手続補正３】
【補正対象書類名】明細書
【補正対象項目名】００１１
【補正方法】変更
【補正の内容】
【００１１】伸縮性の布の摩擦によりボールの滑りを緩やかにする。バランスボールの球体のゴムの滑りが緩やかになると、子供も全身でつかみ安全に運動できる。高齢者にとってもバランスボールの跳ね返りに安心である。バランスボールで遊び、運動することは、手で触り、足で蹴ることも健康につながる。手先や足先に物を当てて触ることは、人間の大切な機能である。
【手続補正４】
【補正対象書類名】明細書
【補正対象項目名】００１２
【補正方法】変更
【補正の内容】
【００１２】伸縮性のある化学繊維、布、毛糸で作成した袋カバーとバランスボールとが密着し合うデザインを作ることにより、バランスボールの使い方が多様化する。
【手続補正５】
【補正対象書類名】明細書
【補正対象項目名】００１５
【補正方法】変更
【補正の内容】
【００１５】バランスボール新規購入時の空気を入れる前の状態で、バランスボールの底側にバランスボールと同体の袋カバーを設置し空気を入れる。バランスボールが膨らむと同時に袋カバーも広がり包み込む。空気を入れ終わり栓を閉じる。バランスボールと袋カバーは収縮し合い密着する。安全上、袋カバーには穴を開けず、毛糸、布で構成する。